(57)【要約】【課題】仕様が異なる複数種類のフィルタを取り付けることができる空気調和機のフィルタ取付機構を提供する。【解決手段】空気調和機の筐体１の一部を構成し空気吸入口２ａを有する前面グリル２にフィルタを取り付けるフィルタ取付機構であって、フィルタの下端側を支持する第１及び第２のフィルタ支持部１１及び１２と、フィルタの上端側を支持する第３及び第４のフィルタ支持部１３及び１４とが、前面グリルに設けられ、第１フィルタ支持部は第２フィルタ支持部よりも前面グリルの奥側に位置しており、第２フィルタ支持部は、第１フィルタ支持部よりも第３フィルタ支持部から離間した箇所に位置し、第４フィルタ支持部は、第３フィルタ支持部よりも第１及び第２のフィルタ支持部から離間した箇所に位置することにより、少なくとも３種類のフィルタ取付状態を得ることを特徴とする。【選択図】  図４
2004150738.tif 000002
【特許請求の範囲】
【請求項１】
空気調和機の筐体の一部を構成し空気吸入口を有する前面グリルにフィルタを取り付けるフィルタ取付機構であって、
上記前面グリルに、上記空気吸入口に取り付けられるべきフィルタの一端側を支持する第１及び第２のフィルタ支持部と、フィルタの他端側を支持する第３フィルタ支持部とが設けられ、
上記第１フィルタ支持部は、上記第２フィルタ支持部よりも前面グリルの奥側に位置しており、
上記第２フィルタ支持部は、上記第１フィルタ支持部よりも、上記第３フィルタ支持部から離間した箇所に位置している、
ことを特徴とする空気調和機のフィルタ取付機構。
【請求項２】
上記前面グリルに、フィルタの他端側を支持する第４フィルタ支持部が更に設けられ、該第４フィルタ支持部は、上記第３フィルタ支持部よりも、上記第１及び第２のフィルタ支持部から離間した箇所に位置していることを特徴とする請求項１記載の空気調和機のフィルタ取付機構。
【発明の詳細な説明】
【０００１】
【発明の属する技術分野】
この発明は、空気調和機のフィルタ取付機構に関する。
【０００２】
【従来の技術】
空気調和機に空気清浄用のフィルタを取り付ける場合、空気調和機の筐体の一部を構成し空気吸入口を有する前面グリルに、予め定められた仕様のフィルタのサイズに適合するように、フィルタの各端部を支持するフィルタ支持部を設けておき、該フィルタ支持部を介して取り付けるのが、従来、一般的である。
【０００３】
近年では、かかる空気清浄フィルタとして、集塵用フィルタだけでなく脱臭用や除菌用などの他の機能を有するフィルタ、更には複数の機能を兼ね備えたものなど、種々の仕様のものが空気調和機に装着されるようになって来ている（例えば、特許文献１参照）。このようなフィルタの多様化などに伴って、同一または類似機種で基本構造や基本性能が共通（つまり、製品母体が同一）のものでも、フィルタ仕様が異なり、従って、適用フィルタの形状，サイズ，材質等が異なる場合が生じる。
【０００４】
【特許文献１】
特開２００２−２２８２５２公報
【０００５】
【発明が解決しようとする課題】
ところが、従来では、同一または類似機種であれば、筐体の前面グリル等を含めてその基本的な構造が同一で、フィルタ支持部の設置箇所も同一であり、しかも、このフィルタ支持部は、予め定められた（１種類の）仕様のフィルタのサイズに適合するように位置設定されている。
【０００６】
このため、従来では、同一または類似機種でも、適用フィルタの仕様が異なる場合（特に、サイズが異なる場合）には、これに対応することができず、フィルタ仕様が異なる毎に、フィルタ支持部の位置設定等が異なる前面グリルを用意する必要があり、その製造・部品管理および組付の仕分け等に多大の手間とコストが掛るという問題があった。
【０００７】
この発明は、上記技術的課題に鑑みてなされたもので、仕様が異なる複数種類のフィルタを取り付けることができる空気調和機のフィルタ取付機構を提供することを目的とする。
【０００８】
【課題を解決するための手段】
このため、本願第１の発明に係る空気調和機のフィルタ取付機構は、空気調和機の筐体の一部を構成し空気吸入口を有する前面グリルにフィルタを取り付けるフィルタ取付機構を前提として、上記前面グリルに、空気吸入口に取り付けられるべきフィルタの一端側を支持する第１及び第２のフィルタ支持部と、フィルタの他端側を支持する第３フィルタ支持部とが設けられ、第１フィルタ支持部は、上記第２フィルタ支持部よりも前面グリルの奥側に位置しており、第２フィルタ支持部は、上記第１フィルタ支持部よりも、第３フィルタ支持部から離間した箇所に位置している、ことを特徴としたものである。
【０００９】
この場合、前面グリルにフィルタを取り付けるに際して、フィルタの一端側が第１フィルタ支持部で支持され他端側が第３フィルタ支持部で支持された第１取付状態と、フィルタの一端側が第２フィルタ支持部で支持され他端側が第３フィルタ支持部で支持された第２取付状態の、二通りの取付状態が得られることにより、サイズの異なる２種類のフィルタに対応可能になる。
【００１０】
また、本願第２の発明は、上記第１の発明において、上記前面グリルに、フィルタの他端側を支持する第４フィルタ支持部が更に設けられ、該第４フィルタ支持部は、上記第３フィルタ支持部よりも、第１及び第２のフィルタ支持部から離間した箇所に位置していることを特徴としたものである。
【００１１】
この場合には、上記二通りの取付状態に加えて、少なくとも、フィルタの一端側が第２フィルタ支持部で支持され他端側が第４フィルタ支持部で支持された第３の取付状態が得られ、サイズの異なる少なくとも３種類のフィルタに対応可能となる。
【００１２】
【発明の実施の形態】
以下、本発明の実施の形態を添付図面に基づいて詳細に説明する。
図１，図２は、本実施の形態に係る空気調和機の筐体をフロントパネル取り外し状態で示す斜視図および正面説明図である。また、図３は、上記図２のＹ３−Ｙ３線に沿った筐体の断面説明図である。
【００１３】
これらの図に示すように、上記空気調和機の筐体１の一部（主要部）をなす前面グリル２は、その正面部に空気吸入口２ａが設けられ、その上部には上面パネル３が取り付けられている。上記前面グリル２の正面の空気吸入口２ａには、以下に詳しく述べるように、当該空気吸入口２ａから空気調和機内に取り入れられる空気を清浄化するために、フィルタが取り付けられる。尚、上記筐体１の正面側（前側：図１の矢印Ｆ方向側）には、フロントパネル（不図示）及び比較的大きな塵を除去するためのエアフィルタ（不図示）が装着される。
【００１４】
図３から良く分かるように、本実施の形態では、フィルタの下端側（一端側）を支持するフィルタ支持部として、第１及び第２のフィルタ支持部１１及び１２が設けられるとともに、フィルタの上端側（他端側）を支持するフィルタ支持部として、第３フィルタ支持部１３と、更に、第４フィルタ支持部１４とが設けられている。
【００１５】
前面グリル２は、好ましくは、合成樹脂材料を用いて例えば射出成形法により製作されており、上記各フィルタ支持部１１〜１４は何れも、より好ましくは、この前面グリル２と一体成形されている。尚、別体に形成されたフィルタ支持部を、後付けで前面グリルに固着することも可能である。
【００１６】
各フィルタ支持部１１〜１４は、例えば第１フィルタ支持部１１を例にとって説明すれば、略水平方向に設定されたフィルタ受け部１１ａと、該フィルタ受け部１１ａの端部において所定角度に折り曲げられた立壁部１１ｂ，１１ｂとを備えている。
後述する図６及び図７から良く分かるように、当該第１フィルタ支持部１１で支持されるフィルタＦ２，Ｆ３の端部（下端部）は、その下端面が上記フィルタ受け部１１ａで受け合われると共に、端部側面が上記立壁部１１ｂで係止され、脱落が確実に防止された状態で、安定して支持される。
【００１７】
他のフィルタ支持部１２〜１４も、基本的には、上記第１フィルタ支持部１１と同様の構成を備え、同様の作用をなすものである。尚、各フィルタ支持部１１〜１４について、立壁部の少なくとも片側は、前面グリル２の基体部分の壁面を利用したものとすることができる。
かかるフィルタ支持部１１〜１４は、前面グリル２の幅方向について、それぞれ複数箇所（本実施の形態では、例えば４箇所）に設けられている。
【００１８】
次に、各フィルタ支持部１１〜１４の位置設定について説明する。
フィルタの下端側を支持する第１及び第２のフィルタ支持部１１及び１２のうち、第１フィルタ支持部１１は、第２フィルタ支持部１２よりも前面グリル２の奥側（後側：図１の矢印Ｒ方向側）に位置している。また、上記第２フィルタ支持部１２は、第１フィルタ支持部１１よりも、第３フィルタ支持部１３から離間した箇所に、つまり、第１フィルタ支持部１１よりも下方に、位置設定されている。
【００１９】
尚、上記第１フィルタ支持部１１を第２フィルタ支持部１２よりも前面グリル２の奥側に位置設定したことにより、第１フィルタ支持部１１については、フィルタを装着する際に、その装着作業がある程度行いにくくなる惧れがある。
そこで、本実施の形態では、図１の部分拡大図に示すように、第１フィルタ支持部１１の前側に摘み部１１ｃが設けられており、フィルタ装着作業を行う際には、この摘み部１１ｃを押し下げて（矢印Ｅ参照）、第１フィルタ支持部１１を樹脂材料の弾性範囲内で下方に撓ませることにより、装着作業が行い易くなるように構成されている。
【００２０】
また、フィルタの上端側を支持する第３及び第４フィルタ支持部１３，１４については、第４フィルタ支持部１４の方が、第３フィルタ支持部１３よりも、第１及び第２フィルタ支持部１１及び１２から離間した箇所に、つまり、第３フィルタ支持部１３よりも上方に、位置設定されている。
尚、本実施の形態では、図３及び図４から良く分かるように、上記前面グリル２の正面部のフィルタ装着部分は、上方に向かうに連れて僅かに後退するように若干傾斜状に設定されており、上記第４フィルタ支持部１４は第３フィルタ支持部１３の上方もしくは若干後方（図１の矢印Ｒ方向）に位置している。
【００２１】
以上のように位置設定された４つのフィルタ支持部１１〜１４を設けたことにより、フィルタの下端側が第１フィルタ支持部１１で支持され上端側が第３フィルタ支持部１３で支持された第１取付状態と、フィルタの下端側が第２フィルタ支持部１２で支持され上端側が第３フィルタ支持部１３で支持された第２取付状態と、フィルタの下端側が第２フィルタ支持部１２で支持され上端側が第４フィルタ支持部１４で支持された第３取付状態の、少なくとも三つの取付状態が得られる。従って、上下方向サイズの異なる少なくとも３種類のフィルタに対応することが可能になる。
【００２２】
ここに、第１フィルタ支持部１１と第３フィルタ支持部１３との上下方向間隔Ｌ１，第２フィルタ支持部１２と第３フィルタ支持部１３との上下方向間隔Ｌ２，第２フィルタ支持部１２と第４フィルタ支持部１４との上下方向間隔Ｌ３は、以下に述べる第１，第２，第３の各フィルタの上下方向サイズ（長さ）にそれぞれ適合し、各々対応するフィルタを支障なく装着できる寸法に設定されている。
【００２３】
すなわち、図５に示すように、上下方向サイズが最も小さい第１フィルタＦ１に対しては、フィルタＦ１の下端側が第１フィルタ支持部１１で支持され上端側が第３フィルタ支持部１３で支持された第１取付状態で、第１フィルタＦ１を取り付けることができる。
また、図６に示すように、上下方向サイズが中程度の第２フィルタＦ２に対しては、フィルタＦ２の下端側が第２フィルタ支持部１２で支持され上端側が第３フィルタ支持部１３で支持された第２取付状態で、第２フィルタＦ２を取り付けることができる。
【００２４】
更に、図７に示すように、上下方向サイズが最も大きい第３フィルタＦ３に対しては、フィルタＦ３の下端側が第２フィルタ支持部１２で支持され上端側が第４フィルタ支持部１４で支持された第３取付状態で、第３フィルタＦ３を取り付けることができる。
この場合には、第３フィルタＦ３は、その途中部で第３フィルタ支持部１３と干渉することとなるが、第３フィルタＦ３が、その弾性範囲内で撓むことにより、支障なく取り付けることができる。
【００２５】
換言すれば、第３取付状態で取り付けられる上記第３フィルタＦ３の材質としては、第３フィルタ支持部１３との干渉に耐え得る程度の弾性を備えたものとする必要が有る。
尚、第４フィルタ支持部１４が第３フィルタ支持部１３よりも前方（図１の矢印Ｆ方向）に位置するように設定されている場合には、上述のようなフィルタＦ３と第３フィルタ支持部１３との干渉は回避され、フィルタＦ３の材質の弾性についての上述のような限定性を無くすることができる。
【００２６】
また、このように第４フィルタ支持部１４が第３フィルタ支持部１３よりも前方に位置するように設定されている場合には、第１フィルタ支持部１１との前後方向の位置関係によっては、フィルタの下端側が第１フィルタ支持部１１で支持され上端側が第４フィルタ支持部１４で支持された今一つの取付状態を得ることも可能である。
【００２７】
尚、図５〜図７の例では、前面グリル２にフィルタＦ１，Ｆ２，Ｆ３の何れかが唯一つずつ装着されていたが、上下方向サイズが最も小さい第１フィルタＦ１を第１フィルタ支持部１１と第３フィルタ支持部１３とで支持させた上で（図５参照）、更に、上下方向サイズが最も大きい第３フィルタＦ３を第２フィルタ支持部１２と第４フィルタ支持部１４とで支持させることにより、仕様の異なる２種類のフィルタを同時に装着することも可能である。
【００２８】
以上のように、本実施の形態では、フィルタの下端側を支持する第１及び第２のフィルタ支持部１１及び１２と、フィルタの上端側を支持する第３及び第４のフィルタ支持部１３及び１４とが前面グリル２に設けられており、これら第１，第２フィルタ支持部１１，１２と第３，第４フィルタ支持部１３，１４とを組み合わせることにより、上下方向の取付スパンが異なる（上下方向間隔：Ｌ１，Ｌ２，Ｌ３）３種類の取付状態を実現できる。
これにより、一つの前面グリル２で、上下方向サイズ等の仕様が異なる３種類のフィルタＦ１，Ｆ２，Ｆ３を取り付けることができるのである。
【００２９】
尚、上記実施の形態は、上側と下側とで計４箇所にフィルタ支持部を設け、序下方向の取付スパンが異なる３種類の取付状態を得るようにしたものであったが、この代わりに、前面パネルのコンパクト化などに伴うスペースの制約やその他の必要性によっては、上下何れか一方側の２箇所と他方側の１箇所とで計３箇所にフィルタ支持部を設け２種類の取付状態を得るようにすることもできる。
【００３０】
また、上記実施の形態は、前面グリル２の正面側に空気吸入口２ａが形成され、従って、前面グリル２の正面側にフィルタＦ１，Ｆ２，Ｆ３を取り付けるようにしたものであったが、この代わりに、前面グリルの上面側に空気吸入口を形成して、この上面側にフィルタを取り付けるようにすることも可能である。
【００３１】
更に、各フィルタ支持部１１〜１４の前後方向あるいは上下方向の位置関係としては、上記実施の形態における設定に限られるものではなく、適用が予定される複数種類のフィルタそれぞれの仕様に応じて、好適に設定することができる。このように、本発明は、以上の実施態様に限定されるものではなく、その要旨を逸脱しない範囲において、種々の改良あるいは設計上の変更が可能であることは言うまでもない。
【００３２】
【発明の効果】
本願の第１の発明に係る空気調和機のフィルタ取付機構によれば、空気調和機の筐体の一部を構成し空気吸入口を有する前面グリルに、空気吸入口に取り付けられるべきフィルタの一端側を支持する第１及び第２の二つのフィルタ支持部と、フィルタの他端側を支持する第３フィルタ支持部とが設けられており、第１フィルタ支持部は第２フィルタ支持部よりも前面グリルの奥側に位置しているので、前面グリルにフィルタを取り付けるに際して、フィルタの一端側が第１フィルタ支持部で支持され他端側が第３フィルタ支持部で支持された第１取付状態と、フィルタの一端側が第２フィルタ支持部で支持され他端側が第３フィルタ支持部で支持された第２取付状態の、二通りの取付状態が得られる。
この場合において、上記第２フィルタ支持部は、第１フィルタ支持部よりも、第３フィルタ支持部から離間した箇所に位置しているので、第２フィルタ支持部から第３フィルタ支持部に至る距離は、第１フィルタ支持部から第３フィルタ支持部に至る距離よりも長くなっている。従って、サイズの異なる２種類のフィルタを取り付けることができ、１つの前面グリルで仕様が異なる２種類のフィルタに対応することが可能になる。
【００３３】
また、本願の第２の発明によれば、上記第１の発明の構成に加えて、フィルタの他端側を支持する第４フィルタ支持部が更に設けられ、該第４フィルタ支持部は、上記第３フィルタ支持部よりも、上記第１及び第２のフィルタ支持部から離間した箇所に位置しているので、上記二通りの取付状態に加えて、少なくとも、フィルタの一端側が第２フィルタ支持部で支持され他端側が第４フィルタ支持部で支持された第３の取付状態を得ることが可能になる。従って、少なくとも、サイズの異なる３種類のフィルタを取り付けることが可能となり、１つの前面グリルで仕様が異なる少なくとも３種類のフィルタに対応することができるようになる。
【図面の簡単な説明】
【図１】本発明の実施の形態に係る空気調和機の筐体をフロントパネル取り外し状態で示す斜視図である。
【図２】上記空気調和機の筐体をフロントパネル取り外し状態で示す正面説明図である。
【図３】図２のＹ３−Ｙ３線に沿った上記筐体の断面説明図である。
【図４】図３の要部Ｙ４を拡大して示す断面説明図である。
【図５】第１フィルタの取付状態を示す断面説明図である。
【図６】第２フィルタの取付状態を示す断面説明図である。
【図７】第３フィルタの取付状態を示す断面説明図である。
【符号の説明】
１…筐体
２…前面グリル
２ａ…空気吸入口
１１…第１フィルタ支持部
１２…第２フィルタ支持部
１３…第３フィルタ支持部
１４…第４フィルタ支持部
Ｆ１…第１フィルタ
Ｆ２…第２フィルタ
Ｆ３…第３フィルタ
【図１】
2004150738.tif 000003
【図２】
2004150738.tif 000004
【図３】
2004150738.tif 000005
【図４】
2004150738.tif 000006
【図５】
2004150738.tif 000007
【図６】
2004150738.tif 000008
【図７】
2004150738.tif 000009